(57)【要約】【課題】収納ポケットを設けることなく調整紐の衣類下方への垂れ下がりを規制し、着用した際の見映えが良く、衣類から引っ張り出された調整紐がリフト等に引っ掛かることを防止して安全性に優れるとともに、サイズ調整の作業が面倒でなく利便性に優れ、かつ、その紐を収納する場所が衣類の特定箇所に限定されない衣類を提供すること。【解決手段】一端部が衣類１００に固定されて内装されるとともに衣類１００に設けられた紐通し穴３を介して衣類１００の内部から外部に出されたゴム紐１０の他端部を紐通し穴３周辺に固定する固定部２０と、紐通し穴３から固定部２０までの１本のゴム紐部分を回帰させないで紐通し穴３から衣類１００の外部に引き出された状態に維持又は解除することにより衣類１００に内装されたゴム紐１０の長さを調整するストッパー３０と、紐通し穴３から固定部２０までの１本のゴム紐部分を抜け出さないようにリンクさせて保持し、紐通し穴３付近から上向きに規制するループ４０と、を備えている。【選択図】図１
2006052495.tif 000002
【特許請求の範囲】
【請求項１】
一端部が衣類に固定されて内装されるとともに衣類に設けられた紐通し穴を介して衣類の内部から外部に出されたゴム紐の他端部を該紐通し穴周辺に固定する固定部と、
前記紐通し穴から前記固定部までの１本のゴム紐部分を回帰させないで前記紐通し穴から衣類の外部に引き出された状態に維持又は解除することにより衣類に内装されたゴム紐の長さを調整するストッパーと、
前記紐通し穴から前記固定部までの１本のゴム紐部分を抜け出さないようにリンクさせて保持し、前記紐通し穴付近から上向きに規制するループと、
を備えていることを特徴とする衣類。
【請求項２】
一端部が衣類に固定されて内装されるとともに衣類に設けられた紐通し穴を介して衣類の内部から外部に出されたゴム紐の他端部を該紐通し穴周辺に固定する固定部と、
前記紐通し穴から前記固定部までの１本のゴム紐部分を回帰させないで前記紐通し穴から衣類の外部に引き出された状態に維持又は解除することにより衣類に内装されたゴム紐の長さを調整するストッパーと、
前記紐通し穴から前記固定部までの１本のゴム紐部分を抜け出さないようにリンクさせて保持し、前記紐通し穴付近から上向きに規制するループと、
該ループ付近に縫着され、前記ストッパーを衣類から離れないようにリンクさせて保持するストッパー保持具と、
を備えていることを特徴とする衣類。
【請求項３】
一端部が衣類に固定されて内装されるとともに衣類に設けられた紐通し穴を介して衣類の内部から外部に出されたゴム紐の他端部を該紐通し穴周辺に固定する固定部と、
前記紐通し穴から前記固定部までの１本のゴム紐部分を回帰させないで前記紐通し穴から衣類の外部に引き出された状態に維持又は解除することにより衣類に内装されたゴム紐の長さを調整するストッパーと、
衣類に縫着され、前記紐通し穴から前記固定部までの１本のゴム紐部分を抜け出さないようにリンクさせて保持し、前記紐通し穴付近から上向きに規制する中空の長尺筒状ループと、
を備えていることを特徴とする衣類。
【請求項４】
一端部が衣類に固定されて内装されるとともに衣類に設けられた紐通し穴を介して衣類の内部から外部に出されたゴム紐と、
衣類の内部から外部に出されたゴム紐の他端部を衣類に固定する固定部と、
前記ゴム紐を前記紐通し穴から衣類の外部に引き出された状態に維持又は解除することにより衣類に内装されたゴム紐の長さを調整するストッパーと、
前記紐通し穴から前記固定部までのゴム紐部分を、前記紐通し穴付近から上向きに規制するループと、
前記紐通し穴から前記固定部までのゴム紐部分に設けられ、該紐通し穴からゴム紐を引き出す際に把持するゴム紐部分の目印となる布片と、
を備えていることを特徴とする衣類。
【請求項５】
ストッパーは、衣類の紐通し穴とループとの間に設けられていることを特徴とする請求項１〜４の何れかに記載の衣類。
【請求項６】
一端部が衣類に固定されて内装されるとともに衣類に設けられた紐通し穴を介して衣類の内部から外部に出されたゴム紐と、
該ゴム紐を前記紐通し穴から衣類の外部に引き出された状態に維持又は解除することにより衣類に内装されたゴム紐の長さを調整するストッパーと、
衣類の内部から外部に出されたゴム紐の他端部を衣類に固定する固定部と、
前記紐通し穴から前記固定部までのゴム紐部分を、前記紐通し穴付近から上向きに規制するループと、
を備えており、
前記ストッパーは、衣類の裏地に固定されていることを特徴とする衣類。
【請求項７】
一端部が衣類に固定されて内装されるとともに衣類に設けられた紐通し穴を介して衣類の内部から外部に出されたゴム紐と、
該ゴム紐を前記紐通し穴から衣類の外部に引き出された状態に維持又は解除することにより衣類に内装されたゴム紐の長さを調整するストッパーと、
衣類の内部から外部に出されたゴム紐の他端部を衣類に固定する固定部と、
前記紐通し穴から前記固定部までのゴム紐部分を、前記紐通し穴付近から上向きに規制するループと、
を備えており、
前記固定部は、衣類の紐通し穴より上方に設けられており、
該紐通し穴から引き出されるゴム紐の前記固定部までの長さが約５ｃｍ〜約３０ｃｍの範囲内であることを特徴とする衣類。
【発明の詳細な説明】
【技術分野】
【０００１】
本発明は、衣類本体のサイズを調整するために、衣類本体に調整紐が内装されてなる衣類に関するものである。
【背景技術】
【０００２】
従来、この種の衣類としては、スピンドル紐からなる調整紐の両端部が衣類に固定されて裾部やウエスト部の全周に内装され、脇下部に紐出口が設けられ、該紐出口から引き出されたスピンドル紐の輪にストッパーが取り付けられた構成のスキーウエアがある。内装されたスピンドル紐の途中部分が引き出されて前記裾部又はウエスト部が締めつけられ、ストッパーを利用して締めつけた状態に保持するようにされていた。
【０００３】
また、この種の衣類において、引き出したスピンドル紐を収納する収納ポケットを、衣類の前記紐出口付近の前身頃と後身頃との合わせ目に設けたものがある。これによれば、衣類の外部に露出している紐部分を収納ポケット内に収納するようにされていた（特許文献１参照）。
【０００４】
さらにまた、前記収納ポケットを、挿通孔を有し着用者の手が入る大きさに形成するとともに衣類の身頃に設けて、引き出された紐を挿通孔からポケット内に導くようにし、このポケット内に導かれた紐にストッパーを設けたものがある。これによれば、衣類は、該ポケット内に手を入れて紐の長さ調整をするようにされていた（特許文献２参照）。
【特許文献１】特開平１０−１３０９２２号公報
【特許文献２】特開２０００−２２００２０号公報
【特許文献３】実用新案登録第３０７８６７３号公報
【発明の開示】
【発明が解決しようとする課題】
【０００５】
しかしながら、従来構造の衣類においては、内装された紐の途中部分を紐出口から引き出すようにされているので、サイズ調整の範囲が広いと極めて多量の紐が引き出されることとなる。引き出された紐は大きな輪となり、衣類の裾部から下方に垂れ下がった状態となるので、着用した際の見映えが良くない。また、このように紐の輪が下方に垂れ下がっていると、リフト乗降等の際に引っ掛かり、安全性の点で問題があった。
【０００６】
また、収納ポケットを設けた衣類においては、サイズ調整の度に、衣類の外部に露出している紐を再度ポケット内に収納し直すという作業が必要となるから、調整作業が面倒であり、不便である。調整後に紐をポケットに収納し忘れるという場合も考えられる。
【０００７】
また、収納ポケットを衣類に取り付ける箇所は、その製造上、衣類に前身頃と後身頃の縫い合わせ目に限定されてしまうという問題点があった。
【０００８】
さらに、収納ポケットを設けた衣類においては、収納ポケットを衣類に設ける縫製工程が必要となるから、多工程となってしまうという問題点があった。
【０００９】
さらにまた、引き出される紐が多量であると、紐の材料費が高くなり、衣類のコストが高くなってしまうという問題点があった。また、引き出される紐の長さが長いと、紐を引き出す操作性が悪いという問題点があった。
【００１０】
そこで、本発明は以上のような問題点に鑑みてなされたものであり、その目的は、収納ポケットを設けることなく調整紐の衣類下方への垂れ下がりを規制し、着用した際の見映えが良く、衣類から引っ張り出された調整紐がリフト等に引っ掛かることを防止して安全性に優れるとともに、サイズ調整の作業が面倒でなく利便性に優れ、かつ、その紐を収納する場所が衣類の特定箇所に限定されない衣類を提供することである。
【００１１】
また、別の目的は、調整紐自体の使用量が比較的少なくて済み、製造コストを低く抑えることができコストパフォーマンスに優れた衣類を提供することである。
【課題を解決するための手段】
【００１２】
この発明に係る衣類は、図面に使用する符号を付して説明すると、一端部が衣類１００に固定されて内装されるとともに衣類１００に設けられた紐通し穴３を介して衣類１００の内部から外部に出されたゴム紐１０の他端部を紐通し穴３周辺に固定する固定部２０と、紐通し穴３から固定部２０までの１本のゴム紐部分を回帰させないで紐通し穴３から衣類１００の外部に引き出された状態に維持又は解除することにより衣類１００に内装されたゴム紐１０の長さを調整するストッパー３０と、紐通し穴３から固定部２０までの１本のゴム紐部分を抜け出さないようにリンクさせて保持し、紐通し穴３付近から上向きに規制するループ４０と、を備えているところに特徴を有するものである。
【００１３】
ここで、「一端部が衣類１００に固定されて内装される」とは、その固定方法、固定位置、内装方法、内装位置は何ら限定されるものではなく、如何なるものであっても良く、ゴム紐１０の他端部側に設けた固定部２０、ストッパー３０、ループ４０の構成を、ゴム紐１０の一端部側にも設ける場合を含む。すなわち、衣類１００は、固定部２０、ストッパー３０、ループ４０を、ゴム紐１０の両端部側にそれぞれ設けた構成としても良く、この場合には、内装されたゴム紐１０の両端側において後述するように効果的に衣類１００のサイズ調整をすることができる。
【００１４】
また、「リンク」するとは、連結することをいい、例えば、紐通し穴３から固定部２０までのゴム紐部分（ゴム紐１本）に、ループ４０の輪を鎖状に連結することをいう。「抜け出さないようにリンクさせ」とは、リンクさせることにより、該ゴム紐部分がループ４０から抜け出さないようにすることをいう。「抜け出さないようにリンクさせて保持し」とは、輪状の引き出されたゴム紐の、略中間までの半周往路部分１本と、該略中間からの半周復路部分１本と、の計２本をまとめてループ４０の輪の中に入れて収納するではなく、ゴム紐部分１本を抜け出さないようにリンクさせて保持することをいう。
【００１５】
ゴム紐１０は、ゴムを芯にして綿糸などを巻いたり、編んだりした紐であり、その長さ方向に伸縮性を有している。ゴム紐１０の太さは、ゴム紐１０の自立性、適度な強度・太さの点から２．０ｍｍから５．０ｍｍの範囲内のものが好適に用いられる。特に、２．０ｍｍから３．５ｍｍの範囲内の太さが好ましく、２．０ｍｍ、２．５ｍｍ、３．０ｍｍ、３．５ｍｍのように５ｍｍピッチのものが好適に選択される。
【００１６】
固定部２０は、ゴム紐１０の先端部を固定する衣類１００の部位である。固定部２０を設ける位置は、いずれの箇所であっても良いが、好適には紐通し穴３より上方が良い。「上方」とは、着用した際の衣類１００における上方、すなわち、着用者の頭部側のことをいい、「紐通し穴より上方」とは、衣類１００における紐通し穴３より頭部側のことをいう（以下、同じ。）。さらに紐通し穴３から引き出されるゴム紐１０の固定部２０までの長さが約５ｃｍ〜約３０ｃｍの範囲内となる位置とするとさらに良い。固定部２０におけるゴム紐１０の固定方法は、好ましくは、図２〜４に示すように、ゴム紐１０を被包する布生地を用いて固定する方法、図６に示すように、ゴム紐１０の端部から所定の間隔を存した複数箇所を縫製して固定する方法、図１１，１２に示すように、ゴム紐１０の端部を内装して固定する方法が挙げられる。
【００１７】
ストッパー３０は、図２に示すように、衣類１００の紐通し穴３とループ４０との間に設けてあると、サイズ調整の操作性の点で好ましい。すなわち、ゴム紐１０を引き出すときは、ストッパー３０の移動がループ４０で規制され、ゴム紐１０が衣類１００の内部に引き込まれるときは、ストッパー３０が紐通し穴３で規制される。このように、ストッパー３０が紐通し穴３とループ４０との間に規制されていると、特にゴム紐１０の操作の際に、ストッパー３０を操作することなくゴム紐１０を操作して衣類１００のサイズ調整を行うことができる。また、図４〜５又は８〜９に示すように、ストッパー保持具５０又は５５を用いてストッパー３０を衣類１００に固定するようにすると、サイズ調整の際にストッパー３０が衣類１００から離れないのでさらに操作性に優れ、好ましい。
【００１８】
ループ４０は、例えば布や糸からなる輪、ベルト通しなどが挙げられ、衣類１００に取り付けられて使用される。この輪内に衣類１００の外部に存するゴム紐１０を通すことで、紐通し穴３から固定部２０までの１本のゴム紐部分を抜け出さないようにリンクさせて保持し、紐通し穴付近から上向きに規制する。ここで、「上向き」とは、衣類１００の上方の向きのことである。また、ループ４０を設ける位置は、いずれの箇所であっても良いが、衣類１００の紐通し穴３の上方が好ましく、紐通し穴３の付近そばの上方に設けた場合には、紐通し穴３から当該ループ４０へゴム紐１０を最短距離で導くことができる。
【００１９】
さらに、図３に示すように、紐通し穴３から固定部２０までのゴム紐部分に、紐通し穴３からゴム紐１０を引き出す際に把持するゴム紐部分の目印となる布片６０を設けてあると、引き出すゴム紐１０を容易に把持することができ、利便性に優れる。
【００２０】
他の発明に係る衣類１００は、図７に示すように、一端部が衣類１００に固定されて内装されるとともに衣類１００に設けられた紐通し穴３を介して衣類１００の内部から外部に出されたゴム紐１０の他端部を紐通し穴３周辺に固定する固定部２０と、紐通し穴３から固定部２０までの１本のゴム紐部分を回帰させないで紐通し穴３から衣類１００の外部に引き出された状態に維持又は解除することにより衣類１００に内装されたゴム紐１０の長さを調整するストッパー３０と、衣類１００に縫着され、紐通し穴３から固定部２０までの１本のゴム紐部分を抜け出さないようにリンクさせて保持し、紐通し穴３付近から上向きに規制する中空の長尺筒状ループ４５と、を備えているところに特徴を有するものである。
【００２１】
すなわち、本願発明は、上記の構成を採用することによって、自立可能なゴム紐１０の先端部を固定部２０に固定し、ゴム紐１０の紐通し穴３から固定部２０までのゴム紐部分をループ４０，４５で紐通し穴３付近から上向きに規制しているので、引き出されたゴム紐部分の衣類外部への垂れ下がりを規制し、衣類１００の見映えを良くし、安全性を図り、さらに、利便性を図るものである。
【００２２】
この衣類１００を用いて、衣類１００のサイズ調整を行う場合には、まず、ループ４０付近のゴム紐部分を把持し、次に、内装されたゴム紐１０を紐通し穴３から引き出して衣類１００を絞ることで行われる。また、ストッパー３０によるゴム紐１０の維持状態を解除して衣類１００の絞りを緩めることで行われる。
【発明の効果】
【００２３】
本願発明に係る衣類によれば、上記構成としたので、収納ポケットを設けることなく、引き出される紐の衣類の外部への垂れ下がりを規制し、衣類の見映えが良く、衣類から引っ張り出されたゴム紐がリフト等に引っ掛かることを防止でき安全性に優れる。しかも、この衣類によれば、ゴム紐をポケットに収納するなどの作業は必要なく、サイズ調整の作業がしやすく利便性に優れる。さらに、引き出された紐を収納する場所は、衣類の特定箇所に限定されないという効果を奏する。
【００２４】
この衣類において、さらに、ストッパーを衣類から離れないようにリンクさせて保持するストッパー保持具を備えている場合には、ストッパーを、ループ付近に固定することができる。ストッパーを衣類の裏側に固定すると、ストッパーを操作することなくゴム紐を引いて衣類本体のサイズ調整をすることができるとともに、その際ストッパーが衣類から離れないので、片手で確実にゴム紐を操作でき、衣類本体のサイズ調整の操作性が良く、さらに利便性に優れるという効果を奏する。
【００２５】
さらにまた、ループを、中空の長尺筒状とした場合には、さらに、ゴム紐の規制力をさらに高めることができるという効果を奏する。
【００２６】
ゴム紐部分の目印となる布片を備えている場合には、さらに、ゴム紐を操作する際に、把持すべきゴム紐部分を容易かつ簡単に把持することができ正確にサイズ調整を行うことができるという効果を奏する。
【００２７】
ストッパーを、衣類の紐通し穴とループとの間になるようにゴム紐に設けた場合には、ストッパーの移動が紐通し穴とループ間に規制されるので、特にゴム紐の操作の際にストッパーを操作することなくゴム紐を操作して衣類本体のサイズ調整を行うことができ、そのサイズ調整の操作性が良く、利便性に優れるという効果を奏する。
【００２８】
固定部を衣類の紐通し穴より上方に設け、該紐通し穴から引き出されるゴム紐の当該固定部までの長さを約５ｃｍ〜約３０ｃｍの範囲内とした場合には、引き出されるゴム紐は比較的少ないので、ゴム紐コストは比較的少なくて済み、衣類のコストパフォーマンスが良いという効果を奏する。さらに、引き出されるゴム紐の長さが短いと、操作性も良い。
【発明を実施するための最良の形態】
【００２９】
以下、以下に本発明を実施するための最良の形態を図面を用いて説明するが、本発明の趣旨を越えない限り何ら以下の例に限定されるものではない。図１は、本願発明に係る衣類の一例として、ジュニア用スキーウエアを示す斜視図である。図２〜１３は、本発明に係る衣類の主要部を示す拡大図である。
【００３０】
（実施例１）
衣類は、図１〜３に示すように、ゴム紐１０からなる調整紐を、裾部１の略全周に内装し、裾部１の前身頃部分の裏側に紐通し穴３を設けて衣類１００の外部に出し、ゴム紐１０の先端部を紐通し穴３周辺の固定部２０に固定したものである。さらに、その外部に出した１本のゴム紐１０にゴム紐１０の長さを調整するストッパー３０を取付け、ゴム紐１０の引出し量を可変して、衣類１００のサイズ調整を可能としたものである。さらに、紐通し穴３から固定部２０までのゴム紐部分を抜け出さないようにリンクさせて保持し、紐通し穴３付近から上向きに規制するループ４０を備えている。
【００３１】
すなわち、衣類１００は、図２に示すように、サイズ調整に用いるゴム紐１０を衣類１００に内装すべく、衣類１００の裾部１にゴム紐１０を通す紐通し袋４を設けて内装し、裾部１の裏側に紐通し穴３を形成してゴム紐１０を衣類１００の裏側に出し、この紐通し穴３から出したゴム紐１０に、紐通し穴３の径より大きいストッパー３０を取付けてゴム紐１０が紐通し袋４内に戻らないようにしてある。なお、紐通し穴３は、ゴム紐１０を挿通する貫通孔または眠り穴（ミシンで縫って穴をあける）のみにより形成してある。
【００３２】
また、図３に示すように、反対側の前身頃２の裏側に同様の構成を設け、内装されたゴム紐１０の他の先端部を衣類１００に固定するようにしてある。つまり、衣類１００は、左右の前身頃２の裏側に同様の構成を備えており、ゴム紐１０の両端部側において衣類１００のサイズ調整をできるようにしてある。さらに、サイズ調整の際に把持するゴム紐部分の目印となる布片６０を、紐通し穴３から固定部２０までのゴム紐部分に設けてある。
【００３３】
ゴム紐１０は、太さ約２．５ｍｍに形成してあり、紐通し穴３から固定部２０までの長さは、ストッパー３０による維持を解除したフリー状態で、およそ５ｃｍである。さらに、紐通し穴３から引き出されるゴム紐１０の最大長さは、およそ３０ｃｍである。
【００３４】
固定部２０は、裾部１の裏側と前身頃２の裏地の縫い合わせ目に設けてある。固定部２０の配設位置は、紐通し穴３から固定部２０までのゴム紐部分が、ループ４０と固定部２０との間で半円状に湾曲し、そのゴム紐部分の長さが約５ｃｍ〜約３０ｃｍの範囲内となる位置としてある。固定部２０には、図示しないが、ゴム紐１０の先端部を当該先端部からそれぞれ所定の間隔を存して２箇所を本縫いで縫製して固定してある。固定されたゴム紐１０の先端部は、衣類１００の下方向きである。さらに、縫製されたゴム紐１０の先端部を被包可能な布生地で被包し、この布生地の四辺を縫製するとともにゴム紐１０の先端部が衣類１００裏側と前記布生地とで挟持されるように縫製して固定してある。
【００３５】
ストッパー３０は、１本のゴム紐１０をストッパー３０に有する挿通孔に回帰させないで１本のみ通し、この通されたゴム紐１０をストッパー３０に内蔵されているバネの押圧力によって維持するようにしたものである。また、バネの押圧力を解除することによってゴム紐１０が衣類１００の外部から内部へ移動可能にしてある。ストッパー３０は、紐通し穴３の付近であって、紐通し穴３とループ４０との間になるようにゴム紐１０に設けてある。
【００３６】
ループ４０は、長尺状の布生地を短辺の略中央部で二つ折りまたは四つ折り（折り目を中に入れる）にして縫製し、長辺の両端を合わせるようにして輪を作ったものであり、この輪の大きさはゴム紐１０を規制可能な内周約１．５ｃｍ〜３．０ｃｍの範囲内としてある。四つ折りにするるのは、折り目を中に入れてほつれを防止するためである。ループ４０の取付位置は、衣類１００の紐通し穴３の上方であって、裾部１の裏側と前身頃２の裏地の縫い合わせ目に固定してある。ループ４０の輪内には紐通し穴３から固定部２０までの１本のゴム紐部分が通してある。これにより、紐通し穴３から固定部２０までのゴム紐部分を、抜け出さないようにリンクさせて保持し、紐通し穴３付近から上向きに規制するようにしてある。なお、ループ４０付近にはストッパー保持具５０が縫着してある。
【００３７】
ストッパー保持具５０は、図４、５に示すように、ストッパー３０を衣類１００から離れないようにリンクさせて保持するものである。長尺状の布生地を、ゴム紐１０とともにストッパー３０に有する挿通穴に通して輪を形成し、当該布生地の両端を裾部１の裏側と前身頃２の裏地との合わせ目に縫製してある。
【００３８】
目印の布片６０は、ループ４０を構成する生地より若干大きく相似形の長尺系の布生地を短辺の略中央部で二つ折りまたは四つ折りにして縫製し、さらに長辺の略中央部で二つ折りにしてこの間にゴム紐１０を挟持した状態となるように縫製したものである。目印の布片６０は、紐通し穴３から固定部２０までのゴム紐部分に設けてある。
【００３９】
この衣類１００において、衣類本体のサイズ調整をする場合には、紐通し穴３から固定部２０までのゴム紐部分の略中央部から紐通し穴３側のゴム紐部分を上方に引き上げるようにすることにより、内装されたゴム紐部分が紐通し穴３から引き出され、紐通し袋４が絞られて衣類１００が着用者の身体にフィットするようにサイズ調整される。
【００４０】
上記の構成によれば、自立可能なゴム紐１０の先端部を紐通し穴３周辺に設けた固定部２０に固定し、その紐通し穴３から固定部２０までの１本のゴム紐部分をループ４０でリンクさせて保持し、紐通し穴３付近から上向きに規制しているので、引き出されたゴム紐は、紐通し穴３から固定部２０までの間に略半円状に上向きに湾曲して自立し、衣類下方への垂れ下がりが規制される。これによって、着用した際の見映えが良く、衣類１００から引っ張り出されたゴム紐１０がリフト等に引っ掛かることを防止でき、安全性に優れる。
【００４１】
また、ストッパー３０を、紐通し穴３から固定部２０までの１本のゴム紐部分を回帰させないで取付け、紐通し穴３から衣類１００の外部に引き出された状態に維持又は解除して、衣類１００に内装されたゴム紐１０の長さを調整するようにしたので、このゴム紐部分１本を操作すれば良く、衣類１００のサイズ調整の際の操作性が良い。
【００４２】
しかも、ストッパー３０は、紐通し穴３とループ４０との間になるようにゴム紐１０に設けてあるので、サイズ調整の際の操作性が良い。すなわち、ゴム紐１０を引くと、ストッパー３０の移動がループ４０で規制され、ストッパー３０を操作することなくゴム紐１０を引き上げて衣類本体のサイズ調整を行うことができる。また、サイズ調整された後のゴム紐１０はストッパー３０により紐通し穴３で内部への移動が規制され、その長さが維持される。また、ゴム紐１０をポケットに収納するなどの作業が必要ない。収納ポケットのように収納忘れということがない。したがって、さらにサイズ調整の操作性が良く、利便性に優れる。
【００４３】
ループ４０付近にはストッパー保持具５０が縫着されているので、ストッパー保持具５０を利用して、ストッパー３０をループ４０付近に固定することができる。ストッパー３０が、ストッパー保持具５０を用いて衣類１００の裏側に固定してあると、ストッパー３０を操作することなくゴム紐１０を引いて衣類本体のサイズ調整をすることができる。しかも、その際ストッパー３０が衣類１００から離れないので、片手で確実にゴム紐１０を操作でき、衣類本体のサイズ調整の操作性が良く、さらに利便性に優れる。
【００４４】
さらに、紐通し穴３から固定部２０までのゴム紐部分に、目印の布片６０を設けてあるので、ゴム紐１０を操作する際に、把持するゴム紐部分を正確にかつ容易に把持して操作することができる。
【００４５】
一方、衣類１００は、上記構成としたことにより、収納ポケットを設ける場合に比して衣類１００の縫製工程を少なくすることができ、製造コストを低く抑えることができるので、コストパフォーマンスに優れる。
【００４６】
また、ゴム紐部分にリンクするループ４０は、衣類１００の紐通し穴３の上方に設けてあるので、ゴム紐１０が紐通し穴３からループ４０へ最短距離で導かれ、ゴム紐１０の使用量を少なく抑えることができる。
【００４７】
さらに、紐通し穴３から衣類１００の外部に出されたゴム紐部分は、上述したように再度紐通し穴３に戻されることなく１本であり、この１本のゴム紐部分にストッパー３０が取付けてあるので、紐通し穴３から引き出されるゴム紐１０は衣類１００に内装された片方側からのみとなり、ゴム紐１０の引き出される量を少なくできる。引き出すゴム紐１０の長さが短ければ、ゴム紐１０自体の使用量を少なく済ませることができるので、さらに衣類１００の製造コストを安くすることができる。また、引き出されるゴム紐１０の長さが短いことによっても、操作性に寄与する。
【００４８】
また、固定部２０は、衣類１００裏側の紐通し穴３より上方であって、紐通し穴３から固定部２０までのゴム紐部分が、ループ４０と固定部２０との間で半円状に湾曲し、そのゴム紐部分の長さが約５ｃｍ〜約３０ｃｍの範囲内となる位置であるので、この点からもゴム紐１０自体の使用量をさらに少なく抑えることができ、衣類１００の製造コストをさらに安く済ませることができる。
【００４９】
なお、ゴム紐１０は伸縮自在であるから、紐通し袋４を絞って衣類１００の裾部１のサイズを調整した後において、ゴム紐１０の伸縮性によって、衣類１００がより体にフィットするようになることはいうまでもない。また、ゴム紐１０の太さを、２．０ｍｍから３．５ｍｍの範囲内から選択しているので、ゴム紐１０の伸縮力により適度な締めつけ力を有し、衣類１００の着用感が良いとともに、適度の太さ故に汎用のストッパー３０を使用することができ、ストッパー３０等のコストを抑えることができる。
【００５０】
（実施例２）
次に、他の実施例について図６を参照して説明する。図６は、実施例２の衣類１００の要部拡大図である。実施例２に係る衣類１００は、ゴム紐１０の先端部分の固定箇所と固定方法およびループ４０の配設個数を変更したものである。
【００５１】
固定部２０は、図６に示すように、裾部１に設けてあり、ゴム紐１０の先端部は、衣類１００の裾部１の裏側と紐通し袋４に固定してある。また、ゴム紐１０の先端部の固定方法は、ゴム紐１０の先端部をさらに設けた紐通し穴３から紐通し袋４に内装し、所定間隔を存して２箇所を本縫いすることにより衣類１００に固定したものである。
【００５２】
ループ４０は、裾部１の裏側と前身頃２の裏地の縫い合わせ目に所定間隔を設けて２箇所設けてある。各ループ４０の配設位置は、それぞれ各紐通し穴３の上方となるようにしてある。
【００５３】
実施例２の衣類１００によれば、実施例１においてゴム紐１０の先端部を被包する布生地を削減することができ、製造コストを低く抑えることができコストパフォーマンスに優れる。また、ゴム紐１０の先端部を衣類１００の内部で固定するので、外観上、美観に優れる。また、ループ４０を２箇所に設け、ゴム紐１０を２箇所でリンクして保持しているので、外部に存するゴム紐部分をより確実に規制することができる。
【００５４】
（実施例３）
次に、他の実施例について図７を参照して説明する。実施例３は、ループ４０の変形例であり、図７は、実施例３の衣類１００の要部拡大図である。実施例３に係る衣類１００は、ゴム紐１０と、固定部２０と、ストッパー３０と、ループ４５とを備えている。
【００５５】
ループ４５は、図７に示すように、中空の円柱状に形成したものである。長尺状の布生地で円柱状に形成し、ゴム紐１０を規制可能な内周約１．５ｃｍ〜３．０ｃｍの範囲内とし、実施例１のループ４０より高さ方向の長さを長く形成したものである。ループ４５は、紐通し穴３の上方であって、前身頃２の裏地に縫着して固定してある。これにより、紐通し穴３から固定部２０までのゴム紐部分の所定長さ分を、抜け出さないようにより強固にリンクさせて保持し、紐通し穴３付近から上向きに規制するようにしてある。なお、ループ４５を扁平させて一方の側柱部を衣類１００に縫着しても良い。
【００５６】
実施例３の衣類１００によれば、紐通し穴３から固定部２０までのゴム紐部分の所定長さ分がループ４５で抜け出さないようにリンクされて保持されているので、ゴム紐１０の規制力をさらに高めることができる。
【００５７】
（実施例４）
次に、他の実施例について図８，９を参照して説明する。実施例４は、ストッパー保持具５０の変形例である。図８は、実施例４の衣類の要部拡大図である。図９は、図８の要部拡大斜視図である。実施例４に係る衣類１００は、ゴム紐１０と、固定部２０と、ストッパー３０と、ループ４０と、ストッパー保持具５５とを備えている。
【００５８】
ストッパー保持具５５は、図８、９に示すように、実施例１のストッパー保持具５０と同様に、ストッパー３０を衣類１００から離れないようにリンクさせて保持するものであり、ストッパー３０の固定手段が異なる。ストッパー保持具５５は、裾部１の裏側と前身頃２の裏地との合わせ目から紐通し穴３に架け渡すとともに、衣類１００の内側でストッパー保持具５５の両端をそれぞれ固定し、ストッパー３０と紐通し穴３にリンクさせて保持するようにしてある。
【００５９】
実施例４の衣類１００によれば、裾部１の裏側から紐通し穴３に架け渡されたストッパー保持具５５を利用しているので、ストッパー３０は、実施例１より強固に衣類１００から離れないように衣類１００の紐通し穴３とループ４０との間に固定することができる。
【００６０】
なお、上記実施例１〜４においては、衣類１００は、ジュニア用スキーウエアを例に挙げて説明したが、これに何ら限定されるものではなく、例えば、大人用のスキーウエア、スノーボードウエアその他の上着であっても良いし、パンツ、半ズボン、フードであっても良い。また、サイズ調整の箇所は、上着の裾部に何ら限定されるものではなく、上着のウエスト部であっても良いし、パンツの足首周り、半ズボンの下端部周りであっても良い。さらにまた、衣類１００の紐通し穴３は、鳩目を設けた構成としても良い。紐通し穴３のみの構成の場合には、コストの面で優れる。
【００６１】
また、上記１〜４の実施例においては、ストッパー３０のゴム紐１０への配設位置は、紐通し穴３とループ４０との間になる位置にしてあるが、これに何ら限定されるものではなく、例えば図１０に示すように、ループ４０と固定部２０との間となる位置であっても良い。また、ストッパー３０を衣類１００に固定しなくても良い。この場合には、ゴム紐１０を引き出して衣類１００の裏側から離れたところでストッパー３０を操作することができるので、操作性の多様化を図ることができ、これにより、多様な着用者の操作方法、使用方法に対応することができる。
【００６２】
また、固定部２０を設ける位置は、本発明の趣旨を越えない限り他の箇所であっても良く、実施例１のように紐通し穴３より上方であっても良いし、実施例２のように紐通し穴３の略水平線上であっても良いし、他の箇所であっても良い。同様に、紐通し穴３、ループ４０を設ける位置も本発明の趣旨を超えない限り他の箇所であっても良い。これらを配設する箇所が衣類１００の特定箇所に限定されないから、引き出されたゴム紐１０を収納する場所は衣類１００の特定箇所に限定されず、よって製造上の制約がない。
【００６３】
固定部２０におけるゴム紐１０の先端部の固定方法は、上記の実施例に何ら限定されるものではなく、図１１に示すように、固定部２０におけるゴム紐１０を被包する布生地を設けず裾部１の裏側に固定しても良いし、図１２に示すように、裾部１の裏側には固定せず、紐通し袋４にのみ縫製して固定しても良い。
【００６４】
さらにまた、図１３に示すように、ストッパー３０を被包する被包布７０をさらに設けて、外観上、ストッパー３０を見えないようにする構成としても良い。
【００６５】
勿論、ストッパー３０は、ゴム紐１０を紐通し穴３から衣類１００の外部に引き出した状態に維持又は解除することができるものであれば如何なるものであっても良い。
【図面の簡単な説明】
【００６６】
【図１】本発明に係る衣類の実施例を示す斜視図である。
【図２】本発明に係る衣類の一方の前身頃の要部拡大図である。
【図３】発明に係る衣類の他方の前身頃の要部概略的平面図である。
【図４】ストッパーを衣類に固定した状態を示す要部拡大図である。
【図５】図４の要部拡大斜視図である。
【図６】実施例２の衣類の要部拡大図である。
【図７】実施例３の衣類の要部拡大図である。
【図８】実施例４の衣類の要部拡大図である。
【図９】図８の要部拡大斜視図である。
【図１０】ストッパーの配置位置が異なる実施例の要部拡大図である。
【図１１】ゴム紐の固定位置が異なる実施例の要部拡大図である。
【図１２】さらに他のゴム紐の先端部の固定方法を示す要部拡大図である。
【図１３】ストッパーを見えなくした実施例の要部拡大図である。
【符号の説明】
【００６７】
１          裾部
２          前身頃
３          紐通し穴
４          紐通し袋
１０        ゴム紐
２０        固定部
３０        ストッパー
４０，４５  ループ
５０，５５  ストッパー保持具
６０        目印の布片
１００      衣類
【図１】
2006052495.tif 000003
【図２】
2006052495.tif 000004
【図３】
2006052495.tif 000005
【図４】
2006052495.tif 000006
【図５】
2006052495.tif 000007
【図６】
2006052495.tif 000008
【図７】
2006052495.tif 000009
【図８】
2006052495.tif 000010
【図９】
2006052495.tif 000011
【図１０】
2006052495.tif 000012
【図１１】
2006052495.tif 000013
【図１２】
2006052495.tif 000014
【図１３】
2006052495.tif 000015